(57)【特許請求の範囲】
【請求項１】
熱湯を注いで調理するカップラーメン用などの、紙材料層４と樹脂フィルム層５とイージーピール層６とを積層して成る、つまみ２１付のイージーピール蓋材において、
蓋材２０の中央部分の紙材料層４に、開蓋方向に直交する１列又は２列以上の紙材料層４を貫通した破線２を設けて構成され、
この破線２が紙材料層４の抄紙方向に平行に設けられていることを特徴とするイージーピール蓋材。
【請求項２】
熱湯を注いで調理するカップラーメン用などの、紙材料層４と樹脂フィルム層５とイージーピール層６とを積層して成る、つまみ２１付のイージーピール蓋材において、
蓋材２０の中央部分の紙材料層４に、開蓋方向に直交する１列又は２列以上の紙材料層４を貫通した破線２と、蓋材２０のつまみ部分２１の紙材料層４に、開蓋方向に直交する１列又は２列以上の紙材料層４を貫通した破線３とを設けて構成され、
前記破線２が紙材料層４の抄紙方向に平行に設けられていることを特徴とするイージーピール蓋材。
【請求項３】
熱湯を注いで調理するカップラーメン用などの、紙材料層４と樹脂フィルム層５とイージーピール層６とを積層して成る、つまみ２１付のイージーピール蓋材において、
蓋材２０の中央部分の紙材料層４に、開蓋方向に直交する１列又は２列以上の紙材料層４を貫通した破線２と、蓋材２０のつまみ部分２１の紙材料層４に、開蓋方向に直交する１列又は２列以上の紙材料層４を貫通した破線３とを設けて構成され、
前記破線３が紙材料層４の抄紙方向に平行に設けられていることを特徴とするイージーピール蓋材。
【発明の詳細な説明】
【０００１】
【発明の属する技術分野】
本発明は、熱湯を注いで調理するカップラーメン用などの、アルミニウム箔を積層していない、開蓋が容易であって、熱湯から発生する蒸気の影響を受け難いイージーピール(Easy Peel;皮を剥がし易い)蓋材に関する。
【０００２】
【従来の技術】
従来から、熱湯を注いで調理するカップラーメン用などの、廃棄時の処理、処分や食品類の金属探知などの理由でアルミニウム箔を積層していない、図１Ａ,Ｂに示すような、表面に美麗な印刷をした遮光性がある紙材料層４と、ポリエステル(PET)、延伸ナイロン(0-NY)、セラミック蒸着付の延伸ポリプロピレン(0-PP)などの、強度とガスバリヤー性とが優れた樹脂フィルム層５と、エチレン-メタアクリル酸共重合体(EMAA)、エチレン-酢酸ビニル共重合体(EVA)、エチレン-ポリブテンブレンド樹脂、通常のホットメルトなどの、熱融着した後に剥がすことができるイージーピール層６とを、図示していない接着剤層を介するなどして適宜に積層して成る、つまみ２１付のイージーピール蓋材が、図２に示すように、発泡スチロール製などのカップ容器３０に被せて熱融着して、一般に用いられている。
【０００３】
【発明が解決しようとする課題】
ところが従来の、アルミニウム箔を積層していない、紙材料層４と樹脂フィルム層５とイージーピール層６とを積層して成る、カップ容器３０に被せて熱融着したつまみ２１付のイージーピール蓋材については、蓋材２０のつまみ２１に指を掛けて、やゝ強く引張るだけで簡単にカップ容器３０を開蓋することができる、開蓋が容易なイージーピール蓋材であるものの、蓋材２０の紙材料層４が、熱湯から発生する蒸気の影響を受け易いために、蓋材２０を中央部分まで剥がして外側に折曲げて、カップ容器３０を途中まで開蓋して熱湯を注ぐ時に、折曲げた蓋材２０の中央部分が、スチームアイロンを掛けたように延びることが多くて、カップ容器３０が閉蓋して熱湯を注ぎ難いなどの問題があって、また蓋材２０のつまみ部分２１を内側に折曲げて、カップ容器３０のフランジ３１に繋止して３〜５分間放置して調理する時に、折曲げた蓋材２０のつまみ部分２１が、同様にスチームアイロンを掛けたように延びることが多くて、カップ容器３０が開蓋して充分に調理することが難しいなどの問題があった。
【０００４】
なお、図示していない従来の、７μｍ程度のアルミニウム箔を積層したイージーピール蓋材については、アルミニウム箔に、与えられた形状を保持する性質(デットホールド性と言う)があるために、蓋材２０の紙材料層４が、熱湯から発生する蒸気の影響を受け難く、前述した熱湯を注ぎ難いなどの、また前述した充分に調理することが難しいなどの、問題は少なかった。
【０００５】
ところで、本発明の目的は、熱湯を注いで調理するカップラーメン用などの、アルミニウム箔を積層していない、従来と同様に開蓋が容易であって、熱湯を注ぐ時に、カップ容器３０が閉蓋して熱湯を注ぎ難いなどの問題が少ない、また３〜５分間放置して調理する時に、カップ容器３０が開蓋して充分に調理することが難しいなどの問題が少ない、熱湯から発生する蒸気の影響を受け難いイージーピール蓋材を提供することにある。
【０００６】
【課題を解決するための手段】
本発明のイージーピール蓋材は、図１Ａ,Ｂに示すように、熱湯を注いで調理するカップラーメン用などの、紙材料層４と樹脂フィルム層５とイージーピール層６とを積層して成る、つまみ２１付のイージーピール蓋材において、蓋材２０の中央部分の紙材料層４に、開蓋方向(図１Ａ,Ｂでは左右方向、以下同じ)に直交する１列又は２列以上の紙材料層４を貫通した破線２を設けたことを特徴とするイージーピール蓋材である。
【０００７】
本発明のイージーピール蓋材においては、蓋材２０の中央部分の紙材料層４に、開蓋方向に直交する１列又は２列以上の紙材料層４を貫通した破線２を設けたことによって、紙材料層４の１列又は２列以上の破線部分２の、直交する開蓋方向の大部分の繊維が切断されているために、蓋材２０を中央の破線部分２まで剥がして外側に折曲げて、カップ容器３０を途中まで開蓋して熱湯を注ぐ時に、折曲げた蓋材２０の中央の破線部分２が、スチームアイロンを掛けたように延びることが少なくて、カップ容器３０が閉蓋して熱湯を注ぎ難いなどの問題が少ない、熱湯から発生する蒸気の影響を受け難いイージーピール蓋材を提供することができる。
【０００８】
また、本発明のイージーピール蓋材は、図１Ａ,Ｂに示すように、蓋材２０のつまみ部分２１の紙材料層４に、開蓋方向に直交する１列又は２列以上の紙材料層４を貫通した破線３を設けたことを特徴とするイージーピール蓋材である。
【０００９】
本発明のイージーピール蓋材においては、蓋材２０のつまみ部分２１の紙材料層４に、開蓋方向に直交する１列又は２列以上の紙材料層４を貫通した破線３を設けたことによって、同様に紙材料層４の１列又は２列以上の破線部分３の、直交する開蓋方向の大部分の繊維が切断されているために、蓋材２０のつまみ２１の破線部分３を内側に折曲げて、カップ容器３０のフランジ３１に繋止して３〜５分間放置して調理する時に、折曲げた蓋材２０のつまみ２１の破線部分３が、同様にスチームアイロンを掛けたように延びることが少なくて、カップ容器３０が開蓋して充分に調理することが難しいなどの問題が少ない、熱湯から発生する蒸気の影響を受け難いイージーピール蓋材を提供することができる。
【００１０】
加えて、本発明のイージーピール蓋材は、前述した開蓋方向に直交する１列又は２列以上の紙材料層４を貫通した破線２,３を、紙材料層４の(図１Ｂに矢印で示す)抄紙方向に平行に設けたことを特徴とするイージーピール蓋材である。
【００１１】
本発明のイージーピール蓋材においては、前述した開蓋方向に直交する１列又は２列以上の紙材料層４を貫通した破線２,３を、紙材料層４の抄紙方向に平行に設けたことによって、紙材料層４には、もともと抄紙方向に直交する繊維が少ないところに、紙材料層４の抄紙方向に平行な１列又は２列以上の破線部分２,３の、抄紙方向に直交する開蓋方向の、もともと少ない大部分の繊維が切断されているために、前述した熱湯を注ぐ時に、折曲げた蓋材２０の中央の破線部分２が、スチームアイロンを掛けたように延びることがさらに少なくて、カップ容器３０が閉蓋して熱湯を注ぎ難いなどの問題が少ない、また前述した３〜５分間放置して調理する時に、折曲げた蓋材２０のつまみ２１の破線部分３が、同様にスチームアイロンを掛けたように延びることがさらに少なくて、カップ容器３０が開蓋して充分に調理することが難しいなどの問題が少ない、熱湯から発生する蒸気の影響をさらに受け難いイージーピール蓋材を提供することができる。
【００１２】
【発明の実施の形態】
図１Ａは、本発明の実施の形態における、イージーピール蓋材の断面図であって、図１Ｂは、イージーピール蓋材の平面図である。
また図２は、本発明の実施の形態における、イージーピール蓋材を、カップ容器３０に被せて熱融着した状態を示す断面説明図である。
【００１３】
本実施の形態のイージーピール蓋材は、紙材料層４と樹脂フィルム層５とイージーピール層６とを積層して成る、つまみ２１付のイージーピール蓋材において、蓋材２０の中央部分の紙材料層４に、開蓋方向に直交する１列又は２列以上の紙材料層４を貫通した破線２を、また蓋材２０のつまみ部分２１の紙材料層４に、開蓋方向に直交する１列又は２列以上の紙材料層４を貫通した破線３を、それぞれ紙材料層４の抄紙方向に平行に設けたイージーピール蓋材である。
【００１４】
本実施の形態のイージーピール蓋材における、紙材料層４と樹脂フィルム層５とイージーピール層６とを積層して成る、つまみ２１付のイージーピール蓋材については、前述した従来のイージーピール蓋材と同様であって、表面に美麗な絵柄と耐水性ニスとを印刷した、５０ｇ/ｍ2程度の上質紙、片面アート紙などの遮光性がある紙材料層４と、ポリエステル(PET)、延伸ナイロン(0-NY)、セラミック蒸着付の延伸ポリプロピレン(0-PP)などの、６０μｍ程度の強度とガスバリヤー性とが優れた樹脂フィルム層５と、２０μｍ程度のエチレン-メタアクリル酸共重合体(EMAA)、エチレン-酢酸ビニル共重合体(EVA)、エチレン-ポリブテンブレンド樹脂、通常のホットメルトなどの、後述するカップ容器３０のフランジ３１に熱融着した後に剥がすことができる、カップ容器３０の構成材料(発泡スチロール、紙＋ポリエチレン、ポリプロピレンなど)に適合したイージーピール層６とを、図１Ａに示すように、図示していない接着剤層を介するなどして適宜に積層した後に、周辺を打抜型などで適宜に切断して除去して、図１Ｂに示すつまみ２１付のイージーピール蓋材を、特に制約なく作製することができる。
【００１５】
本実施の形態のイージーピール蓋材における、蓋材２０の中央部分の紙材料層４に設けた、また蓋材２０のつまみ部分２１の紙材料層４に設けた、開蓋方向に直交する１列又は２列以上の紙材料層４を貫通した破線２,３については、予め開蓋方向が、図１Ｂに矢印で示す抄紙方向に直交するように、表面に美麗な絵柄と耐水性ニスとを印刷した紙材料層４に、例えば図３Ａに示すような、開蓋方向に直交する３列の、幅が６ｍｍ程度の紙材料層４を貫通した破線２,３を、打抜型を用いた打抜工程などで適宜に設けた後に、図１Ａに示すように、この紙材料層４と樹脂フィルム層５とイージーピール層６とを適宜に積層することによって、蓋材２０の中央部分の紙材料層４に、開蓋方向に直交する１列又は２列以上の紙材料層４を貫通した破線２を、また蓋材２０のつまみ部分２１の紙材料層４に、開蓋方向に直交する１列又は２列以上の紙材料層４を貫通した破線３を、それぞれ紙材料層４の、図１Ｂに矢印で示す抄紙方向に平行に設けることができる。
【００１６】
続いて、本実施の形態の、図１Ａ,Ｂに示すイージーピール蓋材を、図２に示すように、通常の発泡スチロール製や内面側にポリエチレンコートをしたカップ原紙製や成形ポリプロピレン製などの、熱湯を注いで調理するカップラーメン用のカップ容器３０に被せて、フランジ３１に熱融着したところ、蓋材２０のつまみ２１に指を掛けて、やゝ強く引張るだけで簡単にカップ容器３０を開蓋することができる、従来と同様に開蓋が容易なイージーピール蓋材を得ることができた。
【００１７】
本実施の形態のイージーピール蓋材においては、蓋材２０の中央部分の紙材料層４に、開蓋方向に直交する１列又は２列以上の紙材料層４を貫通した破線２を、また蓋材２０のつまみ部分２１の紙材料層４に、開蓋方向に直交する１列又は２列以上の紙材料層４を貫通した破線３を、それぞれ紙材料層４の抄紙方向に平行に設けたことによって、紙材料層４の抄紙方向に平行な１列又は２列以上の破線部分２,３の、抄紙方向に直交する開蓋方向の、もともと少ない大部分の繊維が切断されているために、蓋材２０を中央の破線部分２まで剥がして外側に折曲げて、カップ容器３０を途中まで開蓋して熱湯を注ぐ時に、折曲げた蓋材２０の中央の破線部分２が、スチームアイロンを掛けたように延びることが少なくて、カップ容器３０が閉蓋して熱湯を注ぎ難いなどの問題が少ない、また蓋材２０のつまみ２１の破線部分３を内側に折曲げて、カップ容器３０のフランジ３１に繋止して３〜５分間放置して調理する時に、折曲げた蓋材２０のつまみ２１の破線部分３が、同様にスチームアイロンを掛けたように延びることが少なくて、カップ容器３０が開蓋して充分に調理することが難しいなどの問題が少ない、熱湯から発生する蒸気の影響を受け難いイージーピール蓋材を得ることができた。
【００１８】
なお、本願のイージーピール蓋材の発明者らは、開蓋方向に直交する１列又は２列以上の紙材料層４を貫通した破線２,３について、試行錯誤を繰返した結果、図３Ａ,Ｂ,Ｃ,Ｄ,Ｅ,Ｆに示すような、開蓋方向に直交する２列以上の、幅が６〜９ｍｍ程度の各種形状の紙材料層４を貫通した破線２,３に、前述した直交する開蓋方向の大部分の繊維を切断する効果があることを、経験しているものである。
【００１９】
【発明の効果】
以上、実施の形態ほかに示すとおり、本発明のイージーピール蓋材においては、熱湯を注いで調理するカップラーメン用などの、アルミニウム箔を積層していない、従来と同様に開蓋が容易であって、熱湯を注ぐ時に、カップ容器３０が閉蓋して熱湯を注ぎ難いなどの問題が少ない、また３〜５分間放置して調理する時に、カップ容器３０が開蓋して充分に調理することが難しいなどの問題が少ない、熱湯から発生する蒸気の影響を受け難いイージーピール蓋材を提供することができる。
【図面の簡単な説明】
【図１】本発明の実施の形態における、図１Ａは、イージーピール蓋材の断面図であって、図１Ｂは、イージーピール蓋材の平面図である。
【図２】本発明の実施の形態における、イージーピール蓋材を、カップ容器３０に被せて熱融着した状態を示す断面説明図である。
【図３】実施の形態のイージーピール蓋材における、開蓋方向に直交する２列以上の、各種形状の紙材料層４を貫通した破線２,３の平面図である。
【符号の説明】
２,３  …破線、破線部分
４     …紙材料層
５     …樹脂フィルム層
６     …イージーピール層
２０   …蓋材
２１   …つまみ、つまみ部分
３０   …カップ容器
３１   …フランジ
矢印   …抄紙方向
【図１】
0004560914.tif 000002
【図２】
0004560914.tif 000003
【図３】
0004560914.tif 000004